(57)【要約】【課題】タイリング表示する際に画像信号の１フレーム分の描画に要する時間を短縮しつつ、ティアリングの発生を抑制する。【解決手段】第１の方向に延びる走査ラインを、第１の方向と交差する第２の方向に複数描画して表示画像を形成する表示装置を複数用いて、複数の表示画像を配列して１の表示画像を形成するための表示方法は、表示画像の形成に用いられる画像信号の１フレームを複数のサブフレームに分割し、分割されたサブフレームのうちの少なくとも先頭のサブフレームを構成する画像信号を第２の方向に間引いた間引き画像信号を生成し、生成した間引き画像信号を用いて、複数の走査ラインのうちの一部の走査ラインからなる走査ライン群を同時に描画する。【選択図】図７
2020148927.tif 000002
【特許請求の範囲】
【請求項１】
第１の方向に延びる走査ラインを、第１の方向と交差する第２の方向に複数描画して表示画像を形成する表示装置を複数用いて、複数の表示画像を配列して１の表示画像を形成するための表示方法であって、
前記表示画像の形成に用いられる画像信号の１フレームを複数のサブフレームに分割し、分割された前記サブフレームのうちの少なくとも先頭のサブフレームを構成する画像信号を前記第２の方向に間引いた間引き画像信号を生成し、
生成した前記間引き画像信号を用いて、複数の前記走査ラインのうちの一部の走査ラインからなる走査ライン群を同時に描画する、
表示方法。
【請求項２】
請求項１に記載の表示方法であって、
前記間引き画像信号は、分割された前記サブフレームの前記第２の方向におけるｎ（ｎは１以上の整数）番目の前記走査ラインを描画する前記画像信号と、ｎ＋１番目の前記走査ラインを描画する前記画像信号と、を平均することにより生成される、
表示方法。
【請求項３】
請求項１または請求項２に記載の表示方法であって、
前記間引き画像信号は、分割された前記サブフレームの前記第２の方向における、ｎ（ｎは１以上の整数）番目の前記走査ラインと、ｎ＋１番目の前記走査ラインと、のうちのいずれか一方の前記走査ラインを描画する前記画像信号により生成され、
前記間引き画像信号が前記ｎ番目の前記走査ラインを描画する前記画像信号により生成された場合、前記先頭のサブフレームを除く残りのサブフレームを構成する画像信号を前記ｎ＋１番目の前記走査ラインを描画する前記画像信号により生成し、生成した画像信号を用いて少なくとも前記ｎ＋１番目の前記走査ラインを描画し、
前記間引き画像信号が前記ｎ＋１番目の前記走査ラインを描画する画像信号により生成された場合、前記残りのサブフレームを構成する画像信号を前記ｎ番目の前記走査ラインを描画する前記画像信号により生成し、生成した画像信号を用いて少なくとも前記ｎ番目の前記走査ラインを描画する、
表示方法。
【請求項４】
請求項１から請求項３までのいずれか一項に記載の表示方法であって、
前記表示画像の形成に用いられる画像信号が動画像の画像信号であるか否かを判定し、
前記動画像の画像信号であると判定した場合、前記間引き画像信号を生成し、生成した前記間引き画像信号を用いて前記走査ライン群を同時に描画する、
表示方法。
【請求項５】
請求項４に記載の表示方法であって、
各前記表示装置の表示領域における周縁部の予め定められた範囲の画像特性を用いて、前記動画像の画像信号であるか否かを判定する、
表示方法。
【請求項６】
請求項５に記載の表示方法であって、
一の前記表示装置の表示領域における周縁部と、他の前記表示装置の表示領域であって該一の前記表示装置の表示領域に隣接する表示領域の周縁部との境界部分の指定の入力を受け付け、
受け付けられた前記境界部分の予め定められた範囲の前記画像特性を用いて、前記動画像の画像信号であるか否かを判定する、
表示方法。
【請求項７】
複数の表示画像を配列して１の表示画像を形成する表示システムであって、
第１の方向に延びる走査ラインを、第１の方向と交差する第２の方向に複数描画して前記表示画像を形成する複数の表示装置と、
各前記表示装置に前記表示画像の原画像の画像信号を供給する画像供給装置と、
を備え、
各前記表示装置は、
前記表示画像の形成に用いられる画像信号の１フレームを複数のサブフレームに分割し、分割された前記サブフレームのうちの少なくとも先頭のサブフレームを構成する画像信号を前記第２の方向に間引いた間引き画像信号を生成し、
生成した前記間引き画像信号を用いて、複数の前記走査ラインのうちの一部の走査ラインからなる走査ライン群を同時に描画する、
表示システム。
【発明の詳細な説明】
【技術分野】
【０００１】
本開示は、表示方法および表示システムに関する。
【背景技術】
【０００２】
複数のプロジェクターのそれぞれから投写される複数の投写画像を投写面にタイリング投写して一つの大画面を構成するマルチディスプレイ技術が知られている。複数のプロジェクターによって投写される領域の境界部分では、表示の位置ずれや、画像の歪み等のティアリングが生じることがある。例えば、特許文献１には、画像を上下方向の２画面以上にタイリング表示する際に、下側の画面に表示する画像データの読み出しを、上側の画面に表示する画像データの読み出しに比べて１フレーム前になるように制御することで、ティアリングの発生を抑制する技術が提案されている。
【先行技術文献】
【特許文献】
【０００３】
【特許文献１】特開２００２−２４４６３４号公報
【発明の概要】
【発明が解決しようとする課題】
【０００４】
しかしながら、タイリング表示する際のティアリングの発生の抑制に関しては、依然として改善の余地がある。
【課題を解決するための手段】
【０００５】
本開示の一実施形態によれば、第１の方向に延びる走査ラインを、第１の方向と交差する第２の方向に複数描画して表示画像を形成する表示装置を複数用いて、複数の表示画像を配列して１の表示画像を形成するための表示方法が提供される。この表示方法は、前記表示画像の形成に用いられる画像信号の１フレームを複数のサブフレームに分割し、分割された前記サブフレームのうちの少なくとも先頭のサブフレームを構成する画像信号を前記第２の方向に間引いた間引き画像信号を生成し、生成した前記間引き画像信号を用いて、複数の前記走査ラインのうちの一部の走査ラインからなる走査ライン群を同時に描画する。
【図面の簡単な説明】
【０００６】
【図１】本開示の一実施形態としての表示システムの概略構成を示す説明図。
【図２】プロジェクターの概略構成を示すブロック図。
【図３】従来の表示処理における２フレーム分の画像信号の描画を完了するまでのタイミングを示す説明図。
【図４】従来の表示処理によって表示される表示画像を模式的に示す説明図。
【図５】本実施形態の表示処理における２フレーム分の画像信号の描画を完了するまでのタイミングを示す説明図。
【図６】本実施形態の表示処理によって表示される表示画像を模式的に示す説明図。
【図７】表示処理の処理手順を示すフローチャート。
【図８】第１サブフレームを構成する画像信号の一例を模式的に示す説明図。
【図９】間引き画像信号の一例を模式的に示す説明図。
【図１０】走査ライン群を描画する様子を模式的に示す説明図。
【図１１】第２実施形態における表示処理の処理手順を示すフローチャート。
【図１２】第２実施形態における表示処理実行後における表示画像を模式的に示す説明図。
【図１３】第３実施形態におけるプロジェクターの概略構成を示すブロック図。
【図１４】第３実施形態における表示処理の処理手順を示すフローチャート。
【図１５】他の実施形態１における表示処理実行後における表示画像を模式的に示す説明図。
【図１６】他の実施形態２における表示処理実行後における表示画像を模式的に示す説明図。
【発明を実施するための形態】
【０００７】
Ａ．第１実施形態：
Ａ１．装置構成：
図１は、本開示の一実施形態としての表示システム５００の概略構成を示す説明図である。表示システム５００は、２台のプロジェクター１０Ａおよび１０Ｂと、画像供給装置３０とを備える。表示システム５００では、画像供給装置３０がケーブル２０を介してプロジェクター１０Ａおよび１０Ｂに原画像の画像データを供給し、プロジェクター１０Ａおよび１０Ｂが協働して原画像をタイリング表示する。すなわち、プロジェクター１０Ａおよび１０Ｂがそれぞれ原画像の一部を構成する表示画像を表示し、これらの表示画像を配列して１つの表示画像を形成する。
【０００８】
本実施形態のプロジェクター１０Ａおよび１０Ｂは、走査型デバイスを用いて画像を表す画像光を投写して、第１方向Ｄ１に延びる図示しない走査ラインを、第２方向Ｄ２に複数描画することにより、スクリーンＳＣや、壁などの被投写面上に表示画像を形成する。第２方向Ｄ２は、第１方向Ｄ１と交差する方向であり、本実施形態においては、第１方向Ｄ１と直交する方向である。本実施形態の走査型デバイスを用いた表示画像は、第１方向Ｄ１に延びる走査ラインが第２方向Ｄ２に複数並ぶことにより形成される。
【０００９】
各プロジェクター１０Ａおよび１０Ｂは、第２方向Ｄ２において上下に並べて配置され、プロジェクター１０Ａがプロジェクター１０Ｂの上方側に位置するように配置されている。プロジェクター１０Ａは、スクリーンＳＣの上側の表示領域Ａｒ１に原画像のうちの上側の画像ＰＳ１を表示し、プロジェクター１０Ｂは、スクリーンＳＣの下側の表示領域Ａｒ２に原画像のうちの下側の画像ＰＳ２を表示する。スクリーンＳＣ全体を見たとき、画像ＰＳ１と画像ＰＳ２とが第２方向Ｄ２に配列されて１つの表示画像ＰＳが形成される。表示領域Ａｒ１は、スクリーンＳＣにおける上端位置Ｐ１から中央位置Ｐ２までの矩形領域であり、表示領域Ａｒ２は、スクリーンＳＣにおける中央位置Ｐ２から下端位置Ｐ３までの矩形領域である。以降の説明では、各プロジェクターを区別する場合、プロジェクター１０Ａおよび１０Ｂと呼び、各プロジェクターを区別しない場合には、総称してプロジェクター１０と呼ぶ。
【００１０】
画像供給装置３０は、例えば、コンピューター、ＤＶＤプレーヤー等により構成され、ケーブル２０を介してプロジェクター１０に接続されている。画像供給装置３０は、表示画像の形成に用いられる画像信号をプロジェクター１０に送信する。画像供給装置３０は、プロジェクター１０の表示位置に応じて、原画像を分割した状態の画像の画像信号を送信する。
【００１１】
図２は、プロジェクター１０の概略構成を示すブロック図である。プロジェクター１０は、Ａ／Ｄ（アナログ／デジタル）変換部１１０と、画像処理回路１２０と、液晶パネル１４０と、液晶パネル駆動部１３０と、照明光学系１４５と、投写レンズ１５２を有する投写光学系１５０と、レンズ駆動部１５４と、ＣＰＵ１６０と、ＲＡＭ１７５と、ＲＯＭ１７０と、リモコン制御部１８０と、撮像部１９０とを備える。プロジェクター１０の各構成要素は、バス１０２を介して互いに接続されている。
【００１２】
Ａ／Ｄ変換部１１０は、画像供給装置３０からケーブル２０およびインターフェイスを介して入力されたアナログ入力画像信号に対して、Ａ／Ｄ変換を行い、デジタル画像信号を出力する。
【００１３】
画像処理回路１２０は、画像処理を実行する種々の機能部を備えている。画像処理回路１２０は、Ａ／Ｄ変換部１１０から出力されたデジタル画像信号（以下、「入力画像信号」という）に対して、画像の表示状態（例えば、輝度、コントラスト、同期、トラッキング、色の濃さ、色合い等）の調整等を行い、液晶パネル駆動部１３０へと出力する。画像処理回路１２０は、信号生成部１２１と、描画部１２３とを備える。
【００１４】
信号生成部１２１は、後述の表示処理において、入力画像信号の１フレームを複数のサブフレームに分割し、分割されたサブフレームを構成する画像信号から第２方向Ｄ２に画像信号を間引いた画像信号（以下、「間引き画像信号」と呼ぶ）を生成する。本実施形態では、信号生成部１２１は、分割されたサブフレームのうちの先頭のサブフレームについて、間引き画像信号を生成する。
【００１５】
描画部１２３は、信号生成部１２１によって生成された間引き画像信号を用いて、走査ラインを描画する。本実施形態では、描画部１２３は、隣接する２つの走査ラインを同時に描画する。描画された画像データは、ＲＡＭ１７５に一時的に記憶され、液晶パネル駆動部１３０に読み出される。
【００１６】
液晶パネル駆動部１３０は、画像処理回路１２０を介して入力されたデジタル画像信号を用いて、ライン順次走査方式によって表示画像ＰＳを表示するように液晶パネル１４０を駆動する。すなわち、液晶パネル駆動部１３０は、第２方向Ｄ２の上から順番に１走査ラインごと液晶パネル１４０へ描画する。
【００１７】
照明光学系１４５は、光を射出する光源、及び光源から射出された光の照度分布を均一化する均一化光学系等を含む。照明光学系１４５から射出された光は、液晶パネル１４０に入射する。
【００１８】
液晶パネル１４０は、照明光学系１４５から射出された光を、画像データを用いて変調する光変調装置である。液晶パネル１４０は、照明光学系１４５から照射された照明光を、画像を表す有効な画像光へと変調するための画像を、液晶パネル１４０に形成する。なお、液晶パネル１４０に代えて、デジタルミラーデバイスなどの他の走査型の光変調素子を用いてもよい。
【００１９】
投写光学系１５０は、プロジェクター１０の筐体の前面に取り付けられており、液晶パネル１４０によって画像光へと変調された光を拡大して投写する。レンズ駆動部１５４は、投写光学系１５０が備える投写レンズ１５２を駆動して、スクリーンＳＣ上に表示させる表示画像の大きさを変化させる。液晶パネル１４０、照明光学系１４５及び投写光学系１５０は、画像を投写する投写部を構成する。
【００２０】
リモコン制御部１８０は、ユーザーからのリモコン１８１による指示を受信し、バス１０２を介してその指示をＣＰＵ１６０に送信する。なお、ユーザーからの指示を、操作パネルなどの他の構成を通じて受け取ることとしてもよい。
【００２１】
撮像部１９０は、例えば、ＣＣＤカメラを備え、種々の画像を撮像して撮像画像を取得する。撮像部１９０により取得された撮像画像は、ＲＡＭ１７５に格納される。なお、撮像部１９０は、ＣＣＤカメラに代えて、他の撮像可能なデバイスを備えてもよい。
【００２２】
ＣＰＵ１６０は、画像処理回路１２０に後述の表示処理を実行させる。
【００２３】
Ａ２．表示処理：
まず、表示処理の概要を説明する。２台のプロジェクター１０Ａおよび１０Ｂを用いて画像をタイリング表示する際、プロジェクター１０Ａとプロジェクター１０Ｂとの間で画像信号の描画タイミングが同期している場合であっても、プロジェクター１０Ａによる表示領域Ａｒ１への画像ＰＳ１の表示タイミングと、プロジェクター１０Ｂによる表示領域Ａｒ２への画像ＰＳ２の表示タイミングとがずれることがある。
【００２４】
図３は、従来の表示処理における２フレーム分の画像信号の描画を完了するまでのタイミングを示す説明図である。図３において、縦軸は、プロジェクター１０Ａおよび１０Ｂの走査ラインＬ０〜Ｌｎを示し、横軸は、時間を示している。プロジェクター１０Ａおよび１０Ｂは、時刻ｔ０において、Ｎフレーム目の画像の描画を開始すると、第２方向Ｄ２の先頭の走査ラインＬ０から順に走査ラインを描画する。時刻ｔ１において、１／２フレーム分の画像信号の描画が完了し、時刻ｔ２において、残りの１／２フレーム分の画像信号の描画が完了する。Ｎ＋１フレーム目の画像についても同様に、時刻ｔ１において、先頭の走査ラインＬ０の描画を開始し、第２方向Ｄ２に順次走査ラインを描画し、時刻ｔ３において、１／２フレーム分の画像信号の描画が完了し、時刻ｔ４において、残りの１／２フレーム分の画像信号の描画が完了する。
【００２５】
図３に示すように、プロジェクター１０Ａおよびプロジェクター１０Ｂにおいて、走査ラインＬ０から走査ラインＬｎまでの描画が完了する時間、すなわち、各表示領域Ａｒ１およびＡｒ２の上端から下端への画像の表示が完了する時間には、１／２フレーム分の時間のずれが生じている。
【００２６】
図４は、従来の表示処理によって表示される表示画像ＰＳを模式的に示す説明図である。図４では、表示画像ＰＳは、矩形画像が第１方向Ｄ１（図４の右方向）にスクロールされている様子を示している。図４に示すように、スクリーンＳＣの上端位置Ｐ１側およびスクリーンＳＣの中央位置Ｐ２側において、第１方向Ｄ１における各表示画像ＰＳ１およびＰＳ２の表示位置は同じである。しかし、スクリーンＳＣの中央位置Ｐ２側およびスクリーンＳＣの下端位置Ｐ３側において、第１方向Ｄ１における各表示画像ＰＳ１およびＰＳ２の表示位置がずれている。この結果、スクリーンＳＣ全体を見たとき、表示領域Ａｒ１と表示領域Ａｒ２との境界部分（スクリーンＳＣの中央位置Ｐ２）において、表示画像ＰＳ１と表示画像ＰＳ２との第１方向Ｄ１のずれｍｓ１が生じることになる。
【００２７】
そこで、本実施形態では、表示処理において、間引き画像信号を用いて複数の走査ラインのうちの一部の走査ラインからなる走査ライン群を同時に描画することよって、各表示領域Ａｒ１およびＡｒ２の上端から下端への画像の表示に要する時間を短縮している。この結果、表示画像ＰＳ１およびＰＳ２の境界部分の第１方向Ｄ１へのずれを抑制している。
【００２８】
図５は、本実施形態の表示処理における２フレーム分の画像信号の描画を完了するまでのタイミングを示す説明図である。図５において、縦軸は、各プロジェクター１０Ａおよび１０Ｂの走査ラインＬ０〜Ｌｎを示し、横軸は、時間を示している。図３に示す例と同様に、各プロジェクター１０Ａおよび１０Ｂは、時刻ｔ０において、Ｎフレーム目の画像の描画を開始すると、第２方向Ｄ２の先頭の走査ラインＬ０から順に走査ラインを描画する。このとき、走査ラインＬ０〜Ｌｎのうち一部の走査ラインからなる走査ライン群に同時に間引き画像信号を描画する。このため、図３に示す時刻ｔ１より早い時刻ｔ５において、Ｎ＋１フレーム目の画像の描画が開始し、図３に示す時刻ｔ２より早い時刻ｔ６において、Ｎフレーム目の画像の描画が完了する。その後、図３に示す時刻ｔ３より早い時刻ｔ７において、走査ラインＬ０の描画が完了し、図３に示す時刻ｔ４より早い時刻ｔ８において、Ｎ＋１フレーム目の画像の描画が完了する。
【００２９】
図６は、本実施形態の表示処理によって表示される表示画像ＰＳを模式的に示す説明図である。図６では、図４と同様に、表示画像ＰＳは、矩形画像が第１方向Ｄ１（図６の右方向）にスクロールされている様子を示している。図４と図６とを比較して理解できるように、表示領域Ａｒ１と表示領域Ａｒ２との境界部分（スクリーンＳＣの中央位置Ｐ２）において、表示画像ＰＳ１と表示画像ＰＳ２との第１方向Ｄ１のずれｍｓ２の大きさが低減している。これは、本実施形態の表示処理において、複数の走査ラインＬ０〜Ｌｎのうちの一部の走査ライン群に間引き画像信号を同時に描画することによって、１フレーム分の画像を表示するために要する時間を短縮できるためである。以下、表示処理について詳細に説明する。
【００３０】
図７は、表示処理の処理手順を示すフローチャートである。表示処理は、Ａ／Ｄ変換部１１０から１フレーム分の入力画像信号を受信すると開始される。表示処理は、入力画像信号の１フレームの１／２の時間（１／１２０秒）で繰り返し実行される。
【００３１】
ステップＳ１０５において、信号生成部１２１は、入力画像信号の１フレームを複数のサブフレームに分割する。本実施形態では、入力画像信号の１フレーム（１／６０秒）を２つのサブフレームに分割する。以降の説明では、分割されたサブフレームのうち、前半分（１／１２０〜６０／１２０秒）のサブフレームを第１サブフレームと呼び、後半分（６１／１２０〜１２０／１２０秒）のサブフレームを第２サブフレームと呼ぶ。本実施形態において、第１サブフレームは、課題を解決するための手段における「先頭のサブフレーム」の下位概念に相当し、第２サブフレームは、課題を解決するための手段における「残りのサブフレーム」の下位概念に相当する。なお、分割するサブフレームの数は、２つに限らず、他の任意の数としてもよい。かかる構成においては、分割されたサブフレームのうち、先頭のサブフレームが課題を解決するための手段における「先頭のサブフレーム」の下位概念に相当し、先頭のサブフレームを除く残りのサブフレームが課題を解決するための手段における「残りのサブフレーム」の下位概念に相当する。
【００３２】
ステップＳ１１０において、信号生成部１２１は、第１サブフレームについて間引き画像信号を生成する。具体的には、信号生成部１２１は、第１サブフレームを構成する画像信号のうち、偶数番目の走査ライン（以下、「偶数走査ライン」と呼ぶ）を描画する画像信号と、奇数番目の走査ライン（以下、「奇数走査ライン」と呼ぶ）を描画する画像信号とを平均することにより、間引き画像信号を生成する。以下、図８および図９を用いて具体的に説明する。
【００３３】
図８は、第１サブフレームを構成する画像信号Ｓｇ１の一例を模式的に示す説明図である。説明の便宜上、第１サブフレームを構成する画像信号（以下、「第１画像信号」と呼ぶ）Ｓｇ１は、７つの走査ラインＬ０〜Ｌ７を描画する画像信号とする。図８に示すように、第１画像信号Ｓｇ１は、画像信号ｄ０〜ｄ７により構成されている。画像信号ｄ０は、第１サブフレームの１番目の走査ラインである第１偶数走査ラインＬ０を描画する画像信号である。画像信号ｄ１は、第１サブフレームの２番目の走査ラインである第１奇数走査ラインＬ１を描画する画像信号である。画像信号ｄ２は、第１サブフレームの３番目の走査ラインである第２偶数走査ラインＬ２を描画する画像信号である。画像信号ｄ３は、第１サブフレームの４番目の走査ラインである第２奇数走査ラインＬ３を描画する画像信号である。画像信号ｄ４は、第１サブフレームの５番目の走査ラインである第３偶数走査ラインＬ４を描画する画像信号である。画像信号ｄ５は、第１サブフレームの６番目の走査ラインである第３奇数走査ラインＬ５を描画する画像信号である。画像信号ｄ６は、第１サブフレームの７番目の走査ラインである第４偶数走査ラインＬ６を描画する画像信号である。画像信号ｄ７は、第１サブフレームの８番目の走査ラインである第４奇数走査ラインＬ７を描画する画像信号ｄ７である。
【００３４】
図９は、間引き画像信号ＭＳｇの一例を模式的に示す説明図である。図９に示すように、間引き画像信号ＭＳｇは、４つの間引き画像信号ＭＳｇ１〜ＭＳｇ４から構成される。具体的には、第１間引き画像信号ＭＳｇ１は、第１画像信号Ｓｇ１のうち、第１偶数走査ラインＬ０を描画する画像信号ｄ０と、第１奇数走査ラインＬ１を描画する画像信号ｄ１とを平均して得られる画像信号である。第２間引き画像信号ＭＳｇ２は、第１画像信号Ｓｇ１のうち、第２偶数走査ラインＬ２を描画する画像信号ｄ２と、第２奇数走査ラインＬ３を描画する画像信号ｄ３とを平均して得られる画像信号である。第３間引き画像信号ＭＳｇ３は、第１画像信号Ｓｇ１のうち、第３偶数走査ラインＬ４を描画する画像信号ｄ４と、第３奇数走査ラインＬ５を描画する画像信号ｄ５とを平均して得られる画像信号である。第４間引き画像信号ＭＳｇ４は、第１画像信号Ｓｇ１のうち、第４偶数走査ラインＬ６を描画する画像信号ｄ６と、第４奇数走査ラインＬ７を描画する画像信号ｄ７とを平均して得られる画像信号である。
【００３５】
図７に示すように、ステップＳ１１５において、描画部１２３は、間引き画像信号ＭＳｇを用いて走査ライン群を同時に描画する。本実施形態において、「走査ライン群」とは、複数の走査ラインＬ０〜Ｌｎのうちの一部の走査ラインの集合であって、間引き画像信号ＭＳｇ１〜ＭＳｇ４を生成する際に用いた２つの走査ライン（偶数走査ラインおよび奇数走査ライン）を意味する。
【００３６】
図１０は、走査ライン群を描画する様子を模式的に示す説明図である。図１０に示すように、第１走査ライン群Ｇｒ１は、第１偶数走査ラインＬ０および第１奇数走査ラインＬ１から構成され、描画部１２３は、かかる２つの走査ラインＬ０およびＬ１に対して、第１間引き画像信号ＭＳｇ１を同時に描画する。第２走査ライン群Ｇｒ２は、第２偶数走査ラインＬ２および第２奇数走査ラインＬ３から構成され、描画部１２３は、かかる２つの走査ラインＬ２およびＬ３に対して、第２間引き画像信号ＭＳｇ２を同時に描画する。第３走査ライン群Ｇｒ３は、第３偶数走査ラインＬ４および第３奇数走査ラインＬ５から構成され、描画部１２３は、かかる２つの走査ラインＬ４およびＬ５に対して、第３間引き画像信号ＭＳｇ３を同時に描画する。第４走査ライン群Ｇｒ４は、第４偶数走査ラインＬ６および第４奇数走査ラインＬ７から構成され、描画部１２３は、かかる２つの走査ラインＬ６およびＬ７に対して、第４間引き画像信号ＭＳｇ４を同時に描画する。このため、走査ラインＬ０〜Ｌ７を１つずつ順に描画する構成に比べて、１フレーム分の画像の描画に要する時間を短縮できる。
【００３７】
図７に示すように、ステップＳ１２０において、描画部１２３は、第２サブフレームを構成する画像信号を用いて走査ラインＬ０〜Ｌ７を描画する。描画部１２３は、第２サブフレームを構成する画像信号を間引くことなく、走査ラインＬ０から走査ラインＬ７まで順に描画していく。
【００３８】
ステップＳ１２５において、液晶パネル駆動部１３０は、各サブフレームおいて描画された画像信号に基づいて液晶パネル１４０を駆動する。
【００３９】
以上説明した本実施形態の表示システム５００によれば、表示画像の形成に用いられる画像信号の１フレームを第１サブフレームおよび第２サブフレームに分割し、分割されたサブフレームのうちの第１サブフレームを構成する画像信号を第２方向Ｄ２に間引いた間引き画像信号ＭＳｇを生成し、生成した間引き画像信号ＭＳｇを用いて、複数の走査ラインＬ０〜Ｌ７のうちの一部の走査ラインからなる走査ライン群Ｇｒ１〜Ｇｒ４を同時に描画するので、間引き画像信号の生成および走査ライン群への間引き画像信号の描画を行わない構成に比べて、１フレームを描画するために要する時間を低減できる。このため、２つの表示画像ＰＳ１およびＰＳ２を配列して１の表示画像ＰＳを形成する際に、２つの表示画像ＰＳ１およびＰＳ２の表示タイミングがずれることを抑制できるので、ティアリングの発生を抑制できる。
【００４０】
加えて、間引き画像信号ＭＳｇは、第１サブフレームの第２方向Ｄ２における偶数走査ラインを描画する画像信号と、奇数走査ラインを描画する画像信号とを平均することにより生成されるので、１フレームを描画するために要する時間を１／２に短縮できる。また、間引き画像信号ＭＳｇを容易に生成できる。
【００４１】
Ｂ．第２実施形態：
第２実施形態における表示システム５００およびプロジェクター１０は、第１実施形態における表示システム５００およびプロジェクター１０と同様であるので、その詳細な説明は省略する。
【００４２】
図１１は、第２実施形態における表示処理の処理手順を示すフローチャートである。第２実施形態における表示処理は、ステップＳ１１０に代えてステップＳ１１０ａを実行する点と、ステップＳ１１５に代えてステップＳ１１５ａを実行する点と、ステップＳ１２０に代えてステップＳ１１７およびステップＳ１１８を実行する点とにおいて、第１実施形態における表示処理と異なる。第２実施形態の表示処理のその他の手順は、第１実施形態の表示処理と同じであるので、同一の手順には同一の符号を付し、その詳細な説明は省略する。
【００４３】
図１１に示すように、入力画像信号の１フレームを複数のサブフレームに分割した後、ステップＳ１１０ａにおいて、信号生成部１２１は、第１サブフレームについて間引き画像信号を生成する。具体的には、信号生成部１２１は、第１サブフレームを構成する画像信号のうち、偶数走査ラインを描画する画像信号を抽出し、抽出された画像信号を間引き画像信号とする。
【００４４】
ステップＳ１１５ａにおいて、描画部１２３は、第１サブフレームについての間引き画像信号を用いて走査ライン群を同時に描画する。ステップＳ１１５ａにおける走査ライン群は、間引き画像信号を生成する際に用いた偶数走査ラインと、該偶数走査ラインの１つ後の奇数走査ラインを意味する。上述のステップＳ１１５と同様に、描画部１２３は、走査ライン群の各走査ラインに対して、ステップＳ１１０ａにおいて生成された間引き画像信号を同時に描画する。
【００４５】
ステップＳ１１７において、信号生成部１２１は、第２サブフレームについて間引き画像信号を生成する。具体的には、信号生成部１２１は、第２サブフレームを構成する画像信号のうち、第１サブフレームについての間引き画像信号を生成する際に用いていない走査ラインを描画する画像信号により間引き画像信号を生成する。すなわち、本実施形態では、第１サブフレームについての間引き画像信号は、偶数走査ラインを描画する画像信号により生成されているので、第２サブフレームについての間引き画像信号は、第２サブフレームを構成する画像信号のうち、奇数走査ラインを描画する画像信号により生成する。信号生成部１２１は、第２サブフレームを構成する画像信号のうち、奇数走査ラインを描画する画像信号を抽出し、抽出された画像信号を間引き画像信号とする。
【００４６】
ステップＳ１１８において、描画部１２３は、第２サブフレームについての間引き画像信号を用いて走査ライン群を同時に描画する。ステップＳ１１８における走査ライン群は、間引き画像信号を生成する際に用いた奇数走査ラインと、該奇数走査ラインの１つ前の偶数走査ラインを意味する。上述のステップＳ１１５ａと同様に、描画部１２３は、走査ライン群の各走査ラインに対して、ステップＳ１１７において生成された間引き画像信号を同時に描画する。ステップＳ１１８の実行後、上述のステップＳ１２５が実行される。
【００４７】
図１２は、第２実施形態における表示処理実行後における表示画像を模式的に示す説明図である。図１２では、左から順に、１フレームを構成する画像信号、第１サブフレームについての間引き画像信号、第２サブフレームについての間引き画像信号、スクリーンＳＣ上に表示される表示画像を示している。図１２では、１フレームおよび各サブフレームの画像信号は、走査ラインを描画した状態で図示している。また、表示画像は、第１サブフレームおよび第２サブフレームを時間積分して得られる画像であり、各サブフレームのうちのいずれか一方のサブフレームにおいて描画される部分を薄いハッチングを付して示している。
【００４８】
図１２の左側に示すように、１フレームを構成する画像信号は、アルファベットの「Ａ」の文字を表す画像信号である。上述のように、第１サブフレームについての間引き画像信号は、第１サブフレームを構成する画像信号のうち偶数走査ラインを描画する画像信号により生成され、該偶数走査ラインおよび１つ後の奇数走査ラインに描画される。したがって、図１２の左から２番目に示すように、例えば、１フレームを構成する画像信号のうち第１偶数走査ラインＬ０の画像信号により生成される間引き画像信号が、第１偶数走査ラインＬ０および第１奇数走査ラインＬ１に描画されている。また、例えば、１フレームを構成する画像信号のうち第２偶数走査ラインＬ２の画像信号により生成される間引き画像信号が、第２偶数走査ラインＬ２および第２奇数走査ラインＬ３に描画されている。詳細な説明は省略するが、第３偶数走査ラインＬ４以降についても同様である。
【００４９】
上述のように、第２サブフレームについての間引き画像信号は、第２サブフレームを構成する画像信号のうち奇数走査ラインを描画する画像信号により生成され、該奇数走査ラインおよび１つ前の偶数走査ラインに描画される。したがって、図１２の左から３番目に示すように、例えば、１フレームを構成する画像信号のうち第１奇数走査ラインＬ１の画像信号により生成される間引き画像信号が、第１奇数走査ラインＬ１および第１偶数走査ラインＬ０に描画されている。また、例えば、１フレームを構成する画像信号のうち第２奇数走査ラインＬ３の画像信号により生成される間引き画像信号が、第２奇数走査ラインＬ３および第２偶数走査ラインＬ２に描画されている。詳細な説明は省略するが、第３奇数走査ラインＬ５以降についても同様である。
【００５０】
図１２の右側に示すように、スクリーンＳＣ上の表示画像は、１フレーム分の画像とほぼ同じ画像として表示されている。いずれか一方のサブフレームにおいて描画される部分は、両方のサブフレームにおいて描画される部分に比べて薄く表示されているが、第１サブフレームにおいて描画された走査ラインが残像として視認されるため、アルファベットの「Ａ」の文字を表す画像として認識できる。
【００５１】
以上の構成を有する第２実施形態の表示システム５００によれば、第１実施形態と同様な効果を奏する。加えて、第１サブフレームについての間引き画像信号は、第１サブフレームの偶数走査ラインを描画する画像信号により生成され、第２サブフレームについての間引き画像信号は、第２サブフレームの奇数走査ラインを描画する画像信号により生成され、第２サブフレームについての間引き画像信号を用いて第２サブフレームの奇数走査ラインおよび該奇数走査ラインの１つ後の偶数走査ラインを同時に描画するので、サブフレームごとに、サブフレームに対応する画像信号の描画処理を切り替える必要がない。このため、描画処理が複雑化することを抑制できる。
【００５２】
Ｃ．第３実施形態：
図１３は、第３実施形態におけるプロジェクター１０ａの概略構成を示すブロック図である。第３実施形態におけるプロジェクター１０ａが第１実施形態におけるプロジェクター１０と異なる点は、画像処理回路１２０に代えて、画像処理回路１２０ａを備える点である。画像処理回路１２０ａは、動画判定部１２５を追加して備える点において、画像処理回路１２０と異なる。
【００５３】
動画判定部１２５は、１フレームを構成する画像信号が動画像の画像信号であるか否かを判定する。動画判定部１２５は、プロジェクター１０の表示領域における予め定められた動画判定範囲を描画する画像信号の画像特性を用いて、１フレーム分の画像信号が動画像の画像信号であるか否かを判定する。本実施形態において、「動画判定範囲」とは、プロジェクター１０の表示領域の周縁部における所定の範囲を意味し、例えば、表示領域の外縁から表示領域の内側に向かって１０画素の矩形領域である。動画判定範囲は、予め実験等により算出され、ＲＯＭ１７０に記憶されている。
【００５４】
「画像特性」とは、画像の特徴を示す情報であり、例えば、階調値、オブジェクトの動き等が該当する。画像特性として階調値を用いる場合、動画判定部１２５は、１フレーム期間前の画像信号と、現在の１フレーム期間の画像信号との画素ごとの階調値を比較することによって、動画像の画像信号であるか否かを判定する。また、画像特性としてオブジェクトの動きを用いる場合には、１フレーム分の画像信号から所定の領域を有するオブジェクトを抽出し、抽出されたオブジェクトの動きを検出することによって動画像であるか否かを判定する。
【００５５】
図１４は、第３実施形態における表示処理の処理手順を示すフローチャートである。第３実施形態における表示処理は、ステップＳ１０３およびステップＳ１３０を追加して実行する点において、第１実施形態における表示処理と異なる。第３実施形態の表示処理のその他の手順は、第１実施形態の表示処理と同じであるので、同一の手順には同一の符号を付し、その詳細な説明は省略する。
【００５６】
表示処理が開始すると、ステップＳ１０３において、動画判定部１２５は、１フレームを構成する画像信号が動画像の画像信号であるか否かを判定する。具体的には、動画判定部１２５は、ＲＯＭ１７０に格納されている動画判定範囲を参照し、１フレームを構成する画像信号から動画判定範囲に対応する画像信号を抽出する。そして、動画判定部１２５は、抽出された画像信号の画像特性を用いて、動画像の画像信号であるか否かを判定する。１フレームを構成する画像信号が動画像の画像信号であると判定した場合（ステップＳ１０３：ＹＥＳ）、上述のステップＳ１０５が実行される。他方、１フレームを構成する画像信号が動画像の画像信号でないと判定した場合（ステップＳ１０３：ＮＯ）、ステップＳ１３０において、描画部１２３は、１フレームを構成する画像信号を用いて走査ラインを描画する。ステップＳ１３０の実行後、上述のステップＳ１２５が実行される。
【００５７】
以上の構成を有する第３実施形態の表示システム５００によれば、第１実施形態と同様な効果を奏する。加えて、表示画像の形成に用いられる画像信号が動画像の画像信号であるか否かを判定し、動画像の画像信号であると判定した場合、間引き画像信号ＭＳｇを生成し、生成した間引き画像信号ＭＳｇを用いて走査ライン群Ｇｒ１〜Ｇｒ４を同時に描画するので、ティアリングが発生しやすい動画像を表示する場合にのみ、間引き画像信号ＭＳｇの生成および該間引き画像信号ＭＳｇの走査ライン群Ｇｒ１〜Ｇｒ４への描画を行うことによって、画像信号の描画処理に要する処理負荷を低減できる。また、動画判定範囲の画像特性を用いて、動画像の画像信号であるか否かを判定するので、表示領域の全体に亘って動画像の画像信号であるか否かを判定する構成に比べて、動画像の画像信号であるか否かの判定に要する処理負荷を低減できる。
【００５８】
Ｄ．他の実施形態：
（１）上記第２実施形態において、第２サブフレームについての間引き画像信号を同時に描画する走査ライン群（ステップＳ１１８における走査ライン群）は、間引き画像信号を生成する際に用いた奇数走査ラインと、該奇数走査ラインの１つ前の偶数走査ラインであったが、奇数走査ラインの１つ前の偶数走査ラインに代えて、奇数走査ラインの一つ後の偶数走査ラインであってもよい。
【００５９】
図１５は、他の実施形態１における表示処理実行後における表示画像を模式的に示す説明図である。図１５では、図１２と同様に、１フレームを構成する画像信号、第１サブフレームについての間引き画像信号、第２サブフレームについての間引き画像信号、スクリーンＳＣ上に表示される表示画像を示している。図１５において、１フレームを構成する画像信号、第１サブフレームについての間引き画像信号は、図１２に示す例と同じである。
【００６０】
上述のように、第２サブフレームについての間引き画像信号は、間引き画像信号を生成する際に用いた奇数走査ラインと、該奇数走査ラインの１つ後の偶数走査ラインに描画される。したがって、図１５の左から３番目に示すように、例えば、１フレームを構成する画像信号のうち第１奇数走査ラインＬ１の画像信号により生成される間引き画像信号が、第１奇数走査ラインＬ１および第２偶数走査ラインＬ２に描画されている。また、例えば、１フレームを構成する画像信号のうち第２奇数走査ラインＬ３の画像信号により生成される間引き画像信号が、第２奇数走査ラインＬ３および第３偶数走査ラインＬ４に描画されている。詳細な説明は省略するが、第３奇数走査ラインＬ５以降についても同様である。
【００６１】
図１５の右側に示すように、スクリーンＳＣ上の表示画像は、上述の第２実施形態と同様に、１フレーム分の画像とほぼ同じ画像として表示されている。したがって、このような構成においても、上記第２実施形態と同様な効果を奏する。
【００６２】
（２）上記第２実施形態および他の実施形態１において、第２サブフレームについての間引き画像信号の生成を省略してもよい。この場合、例えば、奇数走査ラインを描画する画像信号を該奇数走査ラインにのみ描画してもよい。
【００６３】
図１６は、他の実施形態２における表示処理実行後における表示画像を模式的に示す説明図である。図１６では、図１２および図１５と同様に、左から順に、１フレームを構成する画像信号、第１サブフレームについての間引き画像信号、第２サブフレームについての間引き画像信号、スクリーンＳＣ上に表示される表示画像を示している。図１６において、１フレームを構成する画像信号、第１サブフレームについての間引き画像信号は、図１２および図１５に示す例と同じである。
【００６４】
図１６の左から３番目に示すように、例えば、１フレームを構成する画像信号のうち第１奇数走査ラインＬ１の画像信号が、第２サブフレームにおける第１奇数走査ラインＬ１に描画されている。また、例えば、１フレームを構成する画像信号のうち第２奇数走査ラインＬ３の画像信が、第２サブフレームにおける第２奇数走査ラインＬ３に描画されている。詳細な説明は省略するが、第３奇数走査ラインＬ５以降についても同様である。
【００６５】
図１６の右側に示すように、スクリーンＳＣ上の表示画像は、上述の第２実施形態および他の実施形態１と同様に、１フレーム分の画像とほぼ同じ画像として表示されている。したがって、このような構成においても、上記第２実施形態および他の実施形態１と同様な効果を奏する。
【００６６】
（３）上記第２実施形態および他の実施形態１において、第１サブフレームについての間引き画像信号は、第１サブフレームを構成する画像信号のうち偶数走査ラインを描画する画像信号により生成され、第２サブフレームについての間引き画像信号は、第２サブフレームを構成する画像信号のうち奇数走査ラインを描画する画像信号により生成されていたが、本開示はこれに限定されない。例えば、第１サブフレームについての間引き画像信号を、第１サブフレームを構成する画像信号のうち奇数走査ラインを描画する画像信号により生成し、第２サブフレームについての間引き画像信号を、第２サブフレームを構成する画像信号のうち偶数走査ラインを描画する画像信号により生成してもよい。かかる構成においては、第２サブフレームについての間引き画像信号を、該間引き画像信号を生成する際に用いた偶数走査ラインに描画してもよい。
【００６７】
すなわち、一般には、第１サブフレームについての間引き画像信号を、第１サブフレームの第２方向Ｄ２における、ｎ（ｎは１以上の整数）番目の走査ラインと、ｎ＋１番目の走査ラインと、のうちのいずれか一方の走査ラインを描画する画像信号により生成し、第１サブフレームについての間引き画像信号をＮ番目の走査ラインを描画する画像信号により生成した場合、第２サブフレームを構成する画像信号をＮ＋１番目の走査ラインを描画する画像信号により生成し、生成した画像信号を用いて少なくともｎ＋１番目の走査ラインを描画し、第１サブフレームについての間引き画像信号をｎ＋１番目の走査ラインを描画する画像信号により生成した場合、第２サブフレームを構成する画像信号をｎ番目の走査ラインを描画する画像信号により生成し、生成した画像信号を用いて少なくともｎ番目の走査ラインを描画してもよい。このような構成においても、上記第２実施形態および他の実施形態１と同様な効果を奏する。
【００６８】
（４）上記第３実施形態において、動画判定範囲をユーザーが任意に設定できる構成としてもよい。かかる構成においては、動画判定範囲として、例えば、一のプロジェクター１０の表示領域における周縁部と、他のプロジェクター１０の表示領域であって該一のプロジェクター１０の表示領域に隣接する表示領域の周縁部との境界部分を設定させてもよい。具体的には、動画判定部１２５は、スクリーンＳＣ上に動画判定範囲を設定するための設定画面を表示し、ユーザーは、リモコン１８１を用いて、動画判定範囲を指定する。動画判定部１２５は、リモコン制御部１８０を介して、ユーザーからの入力結果を受け付けて、受け付けられた動画判定範囲における画像特性を用いて動画像の画像信号であるか否かを判定する。なお、動画判定範囲を設定するための設定画面を画像供給装置３０の表示部に表示し、ユーザーからの入力結果を画像供給装置３０から受け取る構成としてもよい。このような構成においても、上記第３実施形態と同様な効果を奏する。
【００６９】
（５）上記各実施形態において、表示システム５００は、２台のプロジェクター１０Ａおよび１０Ｂを備えていたが、プロジェクター１０の台数は他の任意の数であってもよいし、プロジェクター１０に代えて、液晶パネルを用いたディスプレイとしての表示装置を備えていてもよい。また、各プロジェクター１０の配置は、図１に示す例に限らず、走査ラインが第２方向Ｄ２に延び、かかる走査ラインが第１方向Ｄ１に複数並ぶことにより表示画像が形成されるように各プロジェクター１０を配置してもよく、走査ラインが延びる方向Ｄ１と、各プロジェクター１０により表示される表示画像が配列される方向Ｄ２とが交差するような配置であれば、他の任意の配置位置を採用してもよい。このような構成においても、上記各実施形態と同様な効果を奏する。
【００７０】
（６）上記各実施形態において、ハードウェアによって実現されていた構成の一部をソフトウェアに置き換えるようにしてもよく、逆に、ソフトウェアによって実現されていた構成の一部をハードウェアに置き換えるようにしてもよい。また、本開示の機能の一部または全部がソフトウェアで実現される場合には、そのソフトウェア（コンピュータープログラム）は、コンピューター読み取り可能な記録媒体に格納された形で提供することができる。この発明において、「コンピューター読み取り可能な記録媒体」とは、フレキシブルディスクやＣＤ−ＲＯＭのような携帯型の記録媒体に限らず、各種のＲＡＭやＲＯＭ等のコンピューター内の内部記憶装置や、ハードディスク等のコンピューターに固定されている外部記憶装置も含んでいる。すなわち、「コンピューター読み取り可能な記録媒体」とは、データを一時的ではなく固定可能な任意の記録媒体を含む広い意味を有している。
【００７１】
本開示は、上述の実施形態に限られるものではなく、その趣旨を逸脱しない範囲において種々の構成で実現することができる。例えば、発明の概要の欄に記載した各形態中の技術的特徴に対応する実施形態中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【００７２】
Ｅ．他の形態：
（１）本開示の一実施形態によれば、第１の方向に延びる走査ラインを、第１の方向と交差する第２の方向に複数描画して表示画像を形成する表示装置を複数用いて、複数の表示画像を配列して１の表示画像を形成するための表示方法が提供される。この表示方法は、前記表示画像の形成に用いられる画像信号の１フレームを複数のサブフレームに分割し、分割された前記サブフレームのうちの少なくとも先頭のサブフレームを構成する画像信号を前記第２の方向に間引いた間引き画像信号を生成し、生成した前記間引き画像信号を用いて、複数の前記走査ラインのうちの一部の走査ラインからなる走査ライン群を同時に描画する。
【００７３】
この形態の表示方法によれば、表示画像の形成に用いられる画像信号の１フレームを複数のサブフレームに分割し、分割されたサブフレームのうちの少なくとも先頭のサブフレームを構成する画像信号を第２の方向に間引いた間引き画像信号を生成し、生成した間引き画像信号を用いて、複数の走査ラインのうちの一部の走査ラインからなる走査ライン群を同時に描画するので、間引き画像信号の生成および走査ライン群への間引き画像信号の描画を行わない構成に比べて、１フレームを描画するために要する時間を低減できる。このため、複数の表示画像を配列して１の表示画像を形成する際に、複数の表示画像の表示タイミングがずれることを抑制できるので、ティアリングの発生を抑制できる。
【００７４】
（２）上記形態の表示方法において、前記間引き画像信号は、分割された前記サブフレームの前記第２の方向におけるｎ（ｎは１以上の整数）番目の前記走査ラインを描画する前記画像信号と、ｎ＋１番目の前記走査ラインを描画する前記画像信号と、を平均することにより生成されてもよい。
この形態の表示方法によれば、間引き画像信号は、分割されたサブフレームの第２の方向におけるｎ（ｎは１以上の整数）番目の走査ラインを描画する画像信号と、ｎ＋１番目の走査ラインを描画する画像信号とを平均することにより生成されるので、１フレームを描画するために要する時間を１／２に短縮できる。また、間引き画像信号を容易に生成できる。
【００７５】
（３）上記形態の表示方法において、前記間引き画像信号は、分割された前記サブフレームの前記第２の方向における、ｎ（ｎは１以上の整数）番目の前記走査ラインと、ｎ＋１番目の前記走査ラインと、のうちのいずれか一方の前記走査ラインを描画する前記画像信号により生成され、前記間引き画像信号が前記ｎ番目の前記走査ラインを描画する前記画像信号により生成された場合、前記先頭のサブフレームを除く残りのサブフレームを構成する画像信号を前記ｎ＋１番目の前記走査ラインを描画する前記画像信号により生成し、生成した画像信号を用いて少なくとも前記ｎ＋１番目の前記走査ラインを描画し、前記間引き画像信号が前記ｎ＋１番目の前記走査ラインを描画する前記画像信号により生成された場合、前記残りのサブフレームを構成する画像信号を前記ｎ番目の前記走査ラインを描画する前記画像信号により生成し、生成した画像信号を用いて少なくとも前記ｎ番目の前記走査ラインを描画してもよい。
この形態の表示方法によれば、間引き画像信号は、分割されたサブフレームの第２の方向における、ｎ番目の走査ラインと、ｎ＋１番目の走査ラインと、のうちのいずれか一方の走査ラインを描画する画像信号により生成され、間引き画像信号がｎ番目の走査ラインを描画する画像信号により生成された場合、先頭のサブフレームを除く残りのサブフレームを構成する画像信号をｎ＋１番目の走査ラインを描画する画像信号により生成し、生成した画像信号を用いて少なくともｎ＋１番目の走査ラインを描画し、間引き画像信号がｎ＋１番目の走査ラインを描画する画像信号により生成された場合、残りのサブフレームを構成する画像信号をｎ番目の走査ラインを描画する画像信号により生成し、生成した画像信号を用いて少なくともｎ番目の走査ラインを描画するので、分割されたサブフレームごとに、サブフレームに対応する画像信号の描画処理を切り替える必要がない。このため、描画処理が複雑化することを抑制できる。
【００７６】
（４）上記形態の表示方法において、前記表示画像の形成に用いられる画像信号が動画像の画像信号であるか否かを判定し、前記動画像の画像信号であると判定した場合、前記間引き画像信号を生成し、生成した前記間引き画像信号を用いて前記走査ライン群を同時に描画してもよい。
この形態の表示方法によれば、表示画像の形成に用いられる画像信号が動画像の画像信号であるか否かを判定し、動画像の画像信号であると判定した場合、間引き画像信号を生成し、生成した間引き画像信号を用いて走査ライン群を同時に描画するので、ティアリングが発生しやすい動画像を表示する場合にのみ、間引き画像信号の生成および該間引き画像信号の走査ライン群への描画を行うことによって、画像信号の描画処理に要する処理負荷を低減できる。
【００７７】
（５）上記形態の表示方法において、各前記表示装置の表示領域における周縁部の予め定められた範囲の画像特性を用いて、前記動画像の画像信号であるか否かを判定してもよい。
この形態の表示方法によれば、各表示装置の表示領域における周縁部の予め定められた範囲の画像特性を用いて、動画像の画像信号であるか否かを判定するので、表示領域の全体に亘って動画像の画像信号であるか否かを判定する構成に比べて、動画像の画像信号であるか否かの判定に要する処理負荷を低減できる。
【００７８】
（６）上記形態の表示方法において、一の前記表示装置の表示領域における周縁部と、他の前記表示装置の表示領域であって該一の前記表示装置の表示領域に隣接する表示領域の周縁部との境界部分の指定の入力を受け付け、受け付けられた前記境界部分の予め定められた範囲の前記画像特性を用いて、前記動画像の画像信号であるか否かを判定してもよい。
この形態の表示方法によれば、一の表示装置の表示領域における周縁部と、他の表示装置の表示領域であって該一の表示装置の表示領域に隣接する表示領域の周縁部との境界部分の指定の入力を受け付け、受け付けられた境界部分の予め定められた範囲の画像特性を用いて、動画像の画像信号であるか否かを判定するので、動画像の画像信号であるか否かの判定に、ティアリングが発生しやすい表示領域の境界部分の画像特性を用いることができる。
【００７９】
本開示は、種々の形態で実現することも可能である。例えば、表示装置、表示方法、これらの装置およびこれらの方法を実現するためのコンピュータープログラム、かかるコンピュータープログラムを記録した記録媒体等の形態で実現できる。
【符号の説明】
【００８０】
１０，１０Ａ，１０Ｂ，１０ａ…プロジェクター、２０…ケーブル、３０…画像供給装置、１０２…バス、１１０…Ａ／Ｄ変換部、１２０，１２０ａ…画像処理回路、１２１…信号生成部、１２３…描画部、１２５…動画判定部、１３０…液晶パネル駆動部、１４０…液晶パネル、１４５…照明光学系、１５０…投写光学系、１５２…投写レンズ、１５４…レンズ駆動部、１６０…ＣＰＵ、１７０…ＲＯＭ、１７５…ＲＡＭ、１８０…リモコン制御部、１８１…リモコン、１９０…撮像部、５００…表示システム、Ａｒ１，Ａｒ２…表示領域、Ｄ１…第１方向、Ｄ２…第２方向、Ｇｒ１…第１走査ライン群、Ｇｒ２…第２走査ライン群、Ｇｒ３…第３走査ライン群、Ｇｒ４…第４走査ライン群、Ｌ０…第１偶数走査ライン、Ｌ１…第１奇数走査ライン、Ｌ２…第２偶数走査ライン、Ｌ３…第２奇数走査ライン、Ｌ４…第３偶数走査ライン、Ｌ５…第３奇数走査ライン、Ｌ６…第４偶数走査ライン、Ｌ７…第４奇数走査ライン、Ｌｎ…走査ライン、ＭＳｇ，ＭＳｇ１，ＭＳｇ２，ＭＳｇ３，ＭＳｇ４…間引き画像信号、Ｐ１…上端位置、Ｐ２…中央位置、Ｐ３…下端位置、ＰＳ，ＰＳ１，ＰＳ２…表示画像、ＳＣ…スクリーン、Ｓｇ１…第１画像信号、ｄ０，ｄ１，ｄ２，ｄ３，ｄ４，ｄ５，ｄ６，ｄ７…画像信号、ｍｓ１，ｍｓ２…ずれ、ｔ０，ｔ１，ｔ２，ｔ３，ｔ４，ｔ５，ｔ６，ｔ７，ｔ８…時刻
【図１】
2020148927.tif 000003
【図２】
2020148927.tif 000004
【図３】
2020148927.tif 000005
【図４】
2020148927.tif 000006
【図５】
2020148927.tif 000007
【図６】
2020148927.tif 000008
【図７】
2020148927.tif 000009
【図８】
2020148927.tif 000010
【図９】
2020148927.tif 000011
【図１０】
2020148927.tif 000012
【図１１】
2020148927.tif 000013
【図１２】
2020148927.tif 000014
【図１３】
2020148927.tif 000015
【図１４】
2020148927.tif 000016
【図１５】
2020148927.tif 000017
【図１６】
2020148927.tif 000018